(57)【要約】【課題】対象物の半透明性をこれまでの方法よりも一層高い精度で評価できる方法を提供すること。【解決手段】第１の照射領域及び第２の照射領域それぞれへの照射光量ＩS，ＩLと、第１の照射領域及び第２の照射領域それぞれから射出される射出光量ｒS,S，ｒS,Lとの比であるｒS,S／ＩS及びｒS,L／ＩLを算出し、１−（ｒS,S／ＩS）／（ｒS,L／ＩL）の値の大小に基づいて、対象の半透明性を評価する。各照射光量ＩS，ＩLとして、基準白色板を対象として光を照射したときの射出光量ｒP,S及びｒP,Lを用いる。基準白色板として、反射率が０．５超であり、かつ受光面を含む部位の厚みが０．２ｍｍ以下であるものを用いる。【選択図】図１
2014119286.tif 000002
【特許請求の範囲】
【請求項１】
対象における第１の照射領域と、第１の照射領域を含み、かつ第１の照射領域よりも広い第２の照射領域とにそれぞれ光を照射し、
第１の照射領域及び第２の照射領域それぞれから戻って来る射出光を受光し、
第１の照射領域及び第２の照射領域それぞれへの照射光量ＩS，ＩLと、第１の照射領域及び第２の照射領域それぞれから射出される射出光量ｒS,S，ｒS,Lとの比であるｒS,S／ＩS及びｒS,L／ＩLを算出し、以下の式（１）で表される半透明性ＴSの値の大小に基づいて、前記対象の半透明性を評価する半透明性の評価方法であって、
半透明性ＴS＝１−（ｒS,S／ＩS）／（ｒS,L／ＩL）      （１）
各照射光量ＩS，ＩLを、基準白色板を対象として光を照射したときの射出光量ｒP,S及びｒP,Lを用い、
基準白色板として、反射率が０．５超であり、かつ受光面を含む部位の厚みが０．２ｍｍ以下であるものを用いる半透明性の評価方法。
【請求項２】
基準白色板の半透明性を測定すると０となり、かつ基準白色板の反射率を測定すると第２の照射領域Ａ２における該基準白色板の反射率となるように、前記式（１）の校正を行う請求項１に記載の評価方法。
【請求項３】
基準白色板としてＰＰＣ用紙を用いる請求項１又は２に記載の評価方法。
【請求項４】
基準白色板として、前記受光面を含み、かつ厚みが０．１５ｍｍ以下である薄層部位と、該薄層部位に隣接し、かつ該受光面と反対側に位置する支持部位とを有するものを用いる請求項１又は２に記載の評価方法。
【請求項５】
基準白色板として、白ボールを用いる請求項４に記載の評価方法。
【請求項６】
射出光量ｒS,S，ｒS,L及び射出光量ｒP,S，ｒP,Lの測定とは別に、第１の照射領域及び第２の照射領域について、前記対象のない状態で補正射出光量ｒB,S，ｒB,Lを測定しておき、射出光量ｒS,S，ｒS,L及び射出光量ｒP,S，ｒP,Lを補正射出光量ｒB,S，ｒB,Lによって補正した以下の式から半透明性を算出する請求項１ないし５のいずれか一項に記載の評価方法。
【数１】
2014119286.tif 000008
【発明の詳細な説明】
【技術分野】
【０００１】
本発明は物体の表面を対象とした半透明性の評価方法に関する。
【背景技術】
【０００２】
ヒトの肌を初めとする物体の表面を対象とした半透明性の評価方法に関し、出願人はこれまでに種々の提案を行っている（例えば特許文献１ないし３参照）。これらの文献においては、対象部における第１の照射領域と、第１の照射領域を含み、かつ第１の照射領域よりも広い第２の照射領域とにそれぞれ光を照射し、第１の照射領域及び第２の照射領域から戻って来る射出光を受光する。そして、第１の照射領域及び第２の照射領域それぞれへの照射光量と、第１の照射領域及び第２の照射領域それぞれから射出される射出光量とを比較して、半透明性を評価している。なおこれらの文献では、対象の評価を「透明性」と称しているが、これらの文献に記載されている方法の原理に照らせば、「透明性」とは物体に照射した光が該物体を透過する程度のことではなく、物体に照射した光のうち反射した光の広がりの度合い、すなわち「半透明性（translucency）」を意味している。
【先行技術文献】
【特許文献】
【０００３】
【特許文献１】特開２００４−３０５５５８号公報
【特許文献２】特開２００６−１０２３６５号公報
【特許文献３】特開２０１０−１４７０８号公報
【０００４】
ところで、上述した各文献においては、第１の照射領域及び第２の照射領域それぞれへの照射光量として、実際の対象の代わりに、装置付属の常用標準白色板を対象として光を照射したときの射出光量を用いていた。常用標準白色板は、本来、決められた照射領域、測定領域で測定するときの反射率の基準として測定対象の反射率の校正に用いられる。しかし、照射領域、測定領域が変わると、常用標準白色板の半透明性の影響で常用標準白色板自体の反射率が変化してしまい、測定対象の反射率が正しく校正できない。その結果、上述した各文献における半透明性測定のように、複数の照射領域、測定領域の下で反射率を測定し、それらの値を演算して前記対象の光学的性質を評価する方法においても、基準が正しく設定されない。したがって、半透明性の測定では半透明性０の基準が正しく設定されていないことになる。更には、上述した各文献に記載の評価方法を用いて半透明性の値を求め、求められた半透明性の値に基づき、評価の対象物の吸収係数や実効散乱係数を計算する場合でも、計算値を実測値との間に乖離が生じることがある。
【０００５】
このような計算値と実測値の乖離は、半透明性が０の物質を基準にすれば解消することができる。しかし、半透明性が０の物質として容易に入手可能なものは見あたらず、仮に見つかったとしても、半透明性が０であることを実際に示すことは容易ではない。
【発明の概要】
【発明が解決しようとする課題】
【０００６】
したがって本発明の課題は、前述した従来技術よりも評価の精度が一層向上した半透明性の評価方法を提供することにある。
【課題を解決するための手段】
【０００７】
本発明者は、前記課題を解決すべく鋭意検討したところ、常用標準白色板に代えて、特定の厚み及び反射率を有する材料を基準白色板として用い、その材料を半透明性＝０の基準に校正することで、前記課題を解決し得ることを知見した。
【０００８】
すなわち、本発明は、対象における第１の照射領域と、第１の照射領域を含み、かつ第１の照射領域よりも広い第２の照射領域とにそれぞれ光を照射し、
第１の照射領域及び第２の照射領域それぞれから戻って来る射出光を受光し、
第１の照射領域及び第２の照射領域それぞれへの照射光量ＩS，ＩLと、第１の照射領域及び第２の照射領域それぞれから射出される射出光量ｒS,S，ｒS,Lとの比であるｒS,S／ＩS及びｒS,L／ＩLを算出し、以下の式（１）で表される半透明性ＴSの値の大小に基づいて、前記対象の半透明性を評価する半透明性の評価方法であって、
半透明性ＴS＝１−（ｒS,S／ＩS）／（ｒS,L／ＩL）      （１）
各照射光量ＩS，ＩLとして、基準白色板を対象として光を照射したときの射出光量ｒP,S及びｒP,Lを用い、
基準白色板として、反射率が０．５超であり、かつ受光面を含む部位の厚みが０．２ｍｍ以下であるものを用いる半透明性の評価方法を提供するものである。
【発明の効果】
【０００９】
本発明によれば、対象物の半透明性をこれまでの方法よりも一層高い精度で評価することができる。したがって、対象物の吸収係数や実効散乱係数を、これまでの方法よりも一層高い精度で求めることができる。
【図面の簡単な説明】
【００１０】
【図１】図１は、本発明の半透明性の評価装置の一実施形態を模式的に示す図である。
【図２】図２（ａ）は、本発明の半透明性の評価装置における第１の照射領域での照射・受光条件を示す模式図であり、図２（ｂ）は、本発明の半透明性の評価装置における第２の照射領域での照射・受光条件を示す模式図である。
【図３】図３（ａ）は、本発明の半透明性の評価装置の絞りの一形態としてのアイリス絞りを示す模式図であり、図３（ｂ）は、本発明の半透明性の評価装置の絞りの一形態としてのスライド式絞りを示す模式図である。
【図４】図４（ａ）及び（ｂ）は、散乱性が異なる基準白色板に入射した光の散乱の様子を示す模式図である。
【図５】図５（ａ）ないし（ｄ）は、厚みが異なる基準白色板に入射した光の散乱の様子を示す模式図である。
【図６】図６は、指示部位を持つ基準白色板に入射した光の散乱の様子を示す模式図である。
【図７】図７は、点広がり関数の座標を示す図である。
【図８】図８（ａ）及び（ｂ）は、実施例１において求められた実効散乱係数及び吸収係数と、顔料濃度との関係を示すグラフである。
【図９】図９（ａ）及び（ｂ）は、実施例２において求められた実効散乱係数及び吸収係数と、顔料濃度との関係を示すグラフである。
【図１０】図１０（ａ）及び（ｂ）は、比較例１において求められた実効散乱係数及び吸収係数と、顔料濃度との関係を示すグラフである。
【図１１】図１１（ａ）及び（ｂ）は、比較例２において求められた実効散乱係数及び吸収係数と、顔料濃度との関係を示すグラフである。
【発明を実施するための形態】
【００１１】
以下本発明を、その好ましい実施形態に基づき図面を参照しながら説明する。図１は、本発明の評価方法に好適に用いられる装置を模式的に示すものである。同図において、符号１は評価装置を示している。評価装置１は、測定装置本体２と、該測定装置本体２に入出力インターフェース２０を介してケーブル２００で接続されたコンピュータシステム３とから構成されている。
【００１２】
測定装置本体２は、入射窓２１１、照射窓２１２及び受光窓２１３を備えた積分球２１と、入射窓２１１及び照射窓２１２を介して、後述する照射領域Ａ（図２参照）に光を照射する光源２２と、受光窓２１３を介して照射領域Ａから戻って来る射出光を受光する受光器２３と、照射領域Ａ及び後述する測定領域Ｍ（図２参照）を変化させる絞り２４と、演算制御部２５とを備えている。
【００１３】
積分球２１は、内壁にＭｇＯ等の白色拡散反射塗料が塗工されたものである。積分球２１は、入射窓２１１を介して入射された光が拡散反射され、その一部が照射窓２１２を介して測定対象部の照射領域に照射され、該照射領域から戻って来る射出光を、受光窓２１３を介して受光器２３で受光できるように設けられている。本実施形態では、これら入射窓２１１、照射窓２１２及び受光窓２１３は、ＪＩＳ  Ｚ８７２２での表記（照射角／受光角）でいうｄ／８°（ｄは拡散光）なる光学系の射出・受光条件を満たすように配置されている。
【００１４】
光源２２が放つ光の波長には特に制限はない。測定を対象の外観に対応させる場合には、可視光領域（波長３６０〜７４０ｎｍ）を含む光を発光できるものであることが望ましい。各波長のダイナミックレンジをそろえるためには、白色光を発光できるものが望ましい。光源２２には、例えばキセノンランプが用いられる。また、特定の波長成分に着目する場合には、光源２２と入射窓２１１との間に分光器を介在させ、その波長成分の光を入射できるようにすることができる。フォトクロミックな化粧品を塗布した肌を測定する等の場合は、光源に紫外線を含む光を発光できるものを用いても良い。
【００１５】
受光器２３は、分光レンズと、分光器と、複数の受光素子が配列されたアレイセンサとを備えている。受光器２３は、受光窓２１３を介して入射される射出光を分光レンズで分光して分光器に導入し、アレイセンサの波長成分毎の射出光量の値を演算制御部２５に出力する。光源に発光ダイオードなどの単色光を点灯させたり、複数の単色光を順次点灯させたりする等して計測する場合には、受光器は分光器を備えていなくても良い。
【００１６】
図２（ａ）及び（ｂ）は、測定装置本体２における光学系の照射光及び射出光の照射・受光条件を模式的に示す図である。絞り２４は、開口部２４０の大きさを変えて照射領域を変化させるものである。また、受光窓２１３の大きさを変えて受光領域を変化させることもできる。受光領域Ｍが照射領域Ａよりも大きい場合には、照射領域全体が測定領域となる。この場合、受光領域Ｍの中で照射領域（＝測定領域）Ａに含まれない部分は、そこからの反射を抑えるために絞り２４の内側面は低反射率である黒色の材料にしておくことが好ましい。絞り２４には、図３（ａ）に示すような、摘み２４ａを回転させて照射領域を変化させる、いわゆるアイリス絞り（カメラ等で採用されているレンズの絞り機構）や、図３（ｂ）に示すような、プレートをスライドさせて照射領域を変化させるスライド絞りを用いることが好ましい。あるいは、絞り２４は開口部２４０の大きさが異なる複数の絞り部材を着脱して交換するものであっても良い。
【００１７】
図１に示す演算制御部２５は、いわゆるマイクロコンピュータユニットで構成され、演算処理装置（ＣＰＵ）と、主記憶装置と、トリガー装置と、これらの装置を結ぶバスとを備えている。前記主記憶装置には、プログラムが記憶されている。演算制御部２５は、該プログラムが起動された状態で、前記トリガー装置からのトリガー信号を受信すると、前記アレイセンサから出力される各波長の射出光量を前記主記憶装置に取り込んで保持する。そして、後述するように、コンピュータシステム３の指令に応じて保持した射出光量を所定のフォーマットで本体３１に送信するように機能する。
【００１８】
コンピュータシステム３は、本体３１と、入力装置３２と、出力装置３３とを備えている。入力装置３２及び出力装置３３は、本体３１とインターフェース（図示せず）を介して接続されている。本実施形態では、本体３１が評価処理部として機能し、出力装置３３が評価結果の出力部として機能する。
【００１９】
本体３１は、演算処理装置（ＣＰＵ）と、主記憶装置（ＲＡＭ）と、補助（外部）記憶装置と、入力装置及び出力装置との接続用のインターフェースと、これらを結ぶバスとを備えている。主記憶装置又は補助記憶装置には測定装置本体２から射出光量を取り込んで評価するプログラムが記憶されている。このプログラムが起動した状態では、本体３１は、半透明性を評価する評価処理部として機能する。
【００２０】
本実施形態の評価方法においては、評価の対象物である半透明な物体に対して光を照射したとき、照射領域の面積が変化すると反射率が変化することを利用している。具体的には、反射率の変化量が、対象物の半透明性を反映することを利用している。具体的な評価手順は以下のとおりである。
【００２１】
図２（ａ）及び（ｂ）に示すとおり、評価の対象部における第１の照射領域Ａ１と、第１の照射領域Ａ１を含み、かつ第１の照射領域Ａ１よりも広い第２の照射領域Ａ２とに、それぞれ光源２２から光を照射する。そして、第１の照射領域Ａ１及び第２の照射領域Ａ２から射出される光を受光器２３で受光する。更に、第１の照射領域Ａ１及び第２の照射領域Ａ２それぞれへの照射光量ＩS，ＩLを測定するとともに、第１の照射領域Ａ１及び第２の照射領域Ａ２から射出されるそれぞれの射出光量ｒS,S，ｒS,Lを測定する。したがって第１の照射領域Ａ１における反射率はｒS,S／ＩSで表される。一方、第２の照射領域Ａ２における反射率はｒS,L／ＩLで表される。
【００２２】
本実施形態では、第１の照射領域Ａ１及び第２の照射領域Ａ２それぞれへの照射光量ＩS，ＩLとして、評価の対象物の代わりに基準白色板を対象として光を照射したときの射出光量ｒP,S及びｒP,Lを用いる。
【００２３】
なお、照射領域を変えるときは、絞り２４の開口部の大きさを変えれば良い。そのとき、照射領域Ａ１は受光領域Ｍに含まれ、Ａ２は受光領域Ｍを含んでいることが好ましい。受光領域Ｍの中で照射領域に含まれない部分は、そこからの反射を抑えるために、絞り２４は低反射率である黒色の材料にしておくことが好ましい。
【００２４】
第１の照射領域Ａ１における反射率であるｒS,S／ＩSと、第２の照射領域Ａ２における反射率であるｒS,L／ＩLの値を用い、本実施形態においては半透明性ＴSを、以下の式（１）で定義することができる。
半透明性ＴS＝１−（ｒS,S／ＩS）／（ｒS,L／ＩL）    （１）
この式から明らかなとおり、半透明性ＴSの値は０から１までの値をとる。
【００２５】
式（１）中、ＩS及びＩLとしては、上述したとおり、基準白色板を対象として光を照射したときの射出光量ｒP,S及びｒP,Lを用いる。ｒP,Sは、第１の照射領域Ａ１において基準白色板を対象として光を照射したときの射出光量である。ｒP,Lは、第２の照射領域Ａ２において、同じ基準白色板を対象として光を照射したときの射出光量である。これらｒP,S及びｒP,Lを用いると、式（１）は、以下の式（１’）のとおりに表すことができる。
半透明性ＴS＝１−（ｒS,S／ｒP,S）／（ｒS,L／ｒP,L）    （１’）
ここで、Ａ１及びＡ２における反射率を求めるには、正しくはｒP,S及びｒP,Lを基準白色板の反射率で割る必要があるが、半透明性の計算はそれぞれの比で用いているので、この操作を省略できる。
【００２６】
本実施形態においては、前記の式（１’）から半透明性ＴSを算出するときに、基準白色板として用いる材料の半透明性が０となるように校正を行うことが有利である。この校正の詳細は、以下のとおりである。
【００２７】
第１の照射領域Ａ１における反射率をＲS,Sと表し、また第２の照射領域Ａ２における反射率をＲS,Lと表したとき、ＲS,S及びＲS,Lを以下の式（２）及び（３）のとおりに定義する。
【００２８】
【数１】
2014119286.tif 000003
【００２９】
前記の式（２）及び（３）を用いると、対象の半透明性ＴSは、以下の式（１”）で表される。
【００３０】
【数２】
2014119286.tif 000004
【００３１】
前記の式（２）及び（３）の技術的意味は次のとおりである。式（２）及び（３）において、ｒB,S及びｒB,Lは、照射領域に含まれない領域からの反射を補正するための補正項である。この補正項は、第１の照射領域Ａ１及び第２の照射領域Ａ２について、対象のない状態で光を照射したときの射出光量を表している。これら補正射出光量ｒB,S及びｒB,Lを、射出光量ｒS,S，ｒS,L及び射出光量ｒP,S，ｒP,Lから差し引いて、各射出光量の値を補正することで、各照射光量の値を実際の値に近づけることができる。その結果、評価を一層精度良く行うことができる。
【００３２】
また式（２）及び（３）において、（ｒP,L−ｒB,L）の項を乗じている理由は、基準白色板を対象としてその半透明性を測定すると、該半透明性の値が０となり、かつ基準白色板を対象としてその反射率を測定すると、該反射率が基準白色板の（通常の測定における）反射率となるように校正するためである。このような校正を行うことで、半透明性＝０基準での基準白色板の半透明性の値が０となり、かつ半透明性＝０基準での基準白色板の反射率がｒP,L、すなわち第２の照射領域Ａ２にける該基準白色板の反射率となる。なお、校正が正しく行われていれば、ｒB,L＝０になる。
【００３３】
本実施形態で用いる基準白色板としては、半透明性が極力０に近いものを用いることが、評価の精度を高める点から好ましい。半透明性が０であるとは、照射した光のうち反射で戻ってくる光がすべて入射点から戻ってくることを言う。戻ってくる位置が重要であって、照射した光がすべて戻ってくることは要求されない。半透明性を極力０に近づけるためには、基準白色板は（イ）高散乱性を有し、かつ（ロ）薄いことが望ましい。このことを、図４及び図５を参照しながら説明する。
【００３４】
図４（ａ）及び（ｂ）は、散乱性が異なる２つの基準白色板Ｗにおける光の散乱状態を示すものである。これらの図のうち、図４（ａ）では、照射光Ｉの位置に対して射出光Ｒが射出する位置が遠ざかっており、射出光が横に広がっていることが判る。これに対して、図４（ｂ）では、照射光Ｉの位置に対してその近傍の位置から射出光Ｒが射出されている。したがって、図４（ａ）よりも図４（ｂ）の方が高散乱であり、好ましいものである。
【００３５】
図５（ａ）ないし（ｄ）は、厚みが異なる４つの基準白色板Ｗにおける光の散乱状態を示すものである。なお、これらの図に示す４つの基準白色板Ｗの散乱性の程度は同じと仮定している。これらの図から明らかなとおり、基準白色板Ｗの散乱性が同じである場合、該基準白色板Ｗの厚みが薄くなるほど、横に広がろうとする光は基準白色板Ｗを透過しやすくなり、横に広がって射出される射出光Ｒが少なくなる。その結果、基準白色板Ｗの厚みが薄くなるほど、照射光Ｉの位置に対してその近傍の位置から射出光Ｒが射出されるようになる。したがって、半透明性を０に近づけるためには、図５（ａ）よりも図５（ｂ）の方が好ましく、図５（ｂ）よりも図５（ｃ）の方が好ましく、図５（ｃ）よりも図５（ｄ）の方が好ましい。尤も、基準白色板Ｗの厚みを薄くすると、射出光Ｒの光量が少なくなることから測定感度が低下する傾向にある。したがって、基準白色板Ｗの厚みは薄く、かつ反射率は高いことが好ましい。
【００３６】
以上を勘案すると、本実施形態に用いる基準白色板としては、反射率が０．５超、好ましくは０．６以上、更に好ましくは０．６５以上であるものを用いることが有利であることが、本発明者の検討の結果判明した。また、基準白色板として受光面を含む部位の厚みが０．２ｍｍ以下、好ましくは０．１５ｍｍ以下、更に好ましくは０．１ｍｍ以下であるものを用いることが有利であることも、本発明者の検討の結果判明した。反射率の上限値に特に制限はなく、１に近ければ近いほど好ましく、上限値の値が０．９以上に高ければ、本発明の目的は達成される。同様に、厚みの下限値に特に制限はなく、薄ければ薄いほど好ましく（例えば、０．０１ｍｍ）、上限値が０．１５ｍｍ程度に薄ければ、本発明の目的は十分に達成される。特に、測定に使用する操作性を考慮すると０．０５ｍｍ以下での場合は何らかの補強をすることが好ましい。また基準白色板は、使用する波長域の光を発する蛍光剤を含まないことが好ましい。
【００３７】
なお、基準白色板の反射率とは、図１及び図２に示す装置を用い、該基準白色板を対象として光を照射して求められた値である。照射する光の波長は、評価の対象となる対象物に照射する光と同じスペクトルを有することが好ましい。
【００３８】
上述した条件を満足する好ましい基準白色板としては、例えば各種の白色の紙が挙げられる。具体的にはＰＰＣ用紙（コピー用紙普通紙）を用いることが簡便かつ経済的なので好ましい。ＰＰＣ用紙は市販品を用いても良い。基準白色板としてＰＰＣ用紙を用いる場合、厚み及び反射率が上述の値を満足している限り、坪量に特に制限はない。
【００３９】
基準白色板の厚みが薄くなると、その材質によっては剛性が低くなり、それ単独での取り扱いにくくなる場合がある。そのような場合には、図６に示すとおり、基準白色板Ｗとして、受光面４０を含み、かつ厚みが０．２ｍｍ以下である白色の薄層部位４１と、該薄層部位４１に隣接し、かつ該受光面４０と反対側に位置する支持部位４２とを有するものを用いることが有利である。この基準白色板Ｗは、受光面４０側から測定された反射率が０．５超であることが好ましい。
【００４０】
図６に示す基準白色板Ｗを用いる場合、薄層部位４１の厚みが薄くなると、照射光Ｉのうち、該薄層部位４１を透過する光の量が多くなる。このとき、薄層部位４１を透過した光が支持部位４２内で散乱して再び薄層部位４１に入射してしまうと、結果的に射出光Ｒが横に広がった状態で射出されることになり、基準白色板Ｗが低半透明性なものとはならなくなってしまう。そこで、図６に示す基準白色板Ｗを用いる場合には、支持部位４２として、薄層部位４１を透過した光が再び薄層部位４１に入射しないような材料を用いることが好ましい。支持部位４２としては、低反射率のボール紙を用いることが好ましい。基準白色板Ｗの具体例としては、薄層部位４１としての白紙がボール紙等の厚板に貼付されたもの（いわゆる白ボール紙）を用いることができる。白ボール紙は市販品を用いても良い。
【００４１】
本実施形態において、第１の照射領域Ａ１と第２の照射領域Ａ２との面積比（Ａ１／Ａ２）は、０．０５以上であることが好ましく、０．１以上であることが更に好ましい。上限値は０．５以下であることが好ましく、０．３以下であることが更に好ましい。例えば面積比Ａ１／Ａ２は、０．０５以上０．５以下であることが好ましく、０．１以上０．３以下であることが更に好ましい。面積比Ａ１／Ａ２をこの範囲内に設定することで、第１の照射領域Ａ１の測定での受光量をある程度確保しつつ、第１の照射領域Ａ１の測定と第２の照射領域Ａ２の測定との受光量の差異を得ることができ、半透明性を一層精度良く評価することができる。
【００４２】
第１の照射領域Ａ１と第２の照射領域Ａ２との面積比は上述のとおりであるところ、第１の照射領域Ａ１自体の面積は、５ｍｍ2以上であることが好ましく、７ｍｍ2以上であることが更に好ましい。面積の上限値は４０ｍｍ2以下であることが好ましく、２０ｍｍ2以下であることが更に好ましい。例えば第１の照射領域の面積は、５〜４０ｍｍ2であることが好ましく、７〜２０ｍｍ2であることが更に好ましい。一方、第２の照射領域Ａ２の自体の面積は、３０ｍｍ2以上であることが好ましく、６０ｍｍ2以上であることが更に好ましい。面積の上限値は２５０ｍｍ2以下であることが好ましく、１５０ｍｍ2以下であることが更に好ましい。例えば第２の照射領域の面積は、３０〜２５０ｍｍ2であることが好ましく、６０〜１５０ｍｍ2であることが更に好ましい。各照射領域Ａ１，Ａ２の面積をこの範囲内とすることで、絞りを対象物に密着させやすくなる。また、受光量に対する回り込みの光の量を一層正確に検出することができる。これらの結果、対象物の半透明性を一層精度良く評価することができる。
【００４３】
第１の照射領域Ａ１の形状に特に制限はない。一般には円形であることが好ましい。第２の照射領域Ａ２の形状は、第１の照射領域Ａ１と同心であることが好ましい。
【００４４】
以上のようにして、対象物の半透明性を精度良く評価することができる。評価の対象となる対象物としては、例えばヒトの肌、歯、シリコーン樹脂、補綴物などが挙げられる。ヒトの肌を対象とする場合、対象部位に特に制限はなく、例えば顔、手及び足を始めとする人体の各部位を評価対象とすることができ、また素肌に限らず化粧肌を評価対象とすることもできる。
【００４５】
本実施形態においては、本実施形態の評価方法によって得られた対象物の半透明性の値を用いて、対象物の吸収係数及び実効散乱係数を求めることができる。この手順を以下に説明する。
【００４６】
図７に示す点広がり関数Ｉ（ｒ）は、吸収係数μa及び実効散乱係数μs’と以下の関係を有することが知られている（例えば、Ｍｅｄｉｃａｌ  Ｐｈｙｓｉｃｓ  １９（４）  ８７９‐８８８）。式中ｒは、入射点からの距離であり、Ｉ（ｒ）は反射強度分布である。
【００４７】
【数３】
2014119286.tif 000005
【００４８】
そして、点広がり関数Ｉ（ｒ）と、上述したＲS,S，ＲS,L及びＴSとは、以下の関係を有している（例えばＪｏｕｒｎａｌ  ｏｆ  Ｂｉｏｍｅｄｉｃａｌ  Ｏｐｔｉｃｓ  １６（１１）  １１７００３を参照のこと。）。
【００４９】
【数４】
2014119286.tif 000006
【００５０】
以上の式を用い、測定によって得られたＲS,L及びＴSから、吸収係数μa及び実効散乱係数μs’を数値計算によって解くことができる。
【００５１】
以上のとおりの手法で求められた吸収係数μa及び実効散乱係数μs’の値に基づき、評価の対象物についての光の吸収及び散乱の程度を知ることができる。そして、これらの値、及び先に求めた半透明性ＴSの値に基づき、対象物が例えばヒトの肌である場合、いわゆる「肌の透明感」を客観的に評価することが可能になる。また、各種美容クリームの使用後における肌、化粧した肌、日焼けした肌等の「肌の透明感」の評価にも適用することができる。
【００５２】
以上、本発明をその好ましい実施形態に基づき説明したが、本発明は前記実施形態に制限されない。例えば前記実施形態においては、第１の照射領域Ａ１での反射率ＲS,S及び第２の照射領域Ａ２での反射率ＲS,Lを算出するときに、照射領域に含まれない領域からの反射を補正するための補正項であるｒB,S及びｒB,Lを導入したが、これらの補正項を導入せずに反射率ＲS,S及びＲS,Lを算出しても良い。この場合には、前記式（２）及び（３）は、以下の式（２’）及び（３’）で表される。
【００５３】
【数５】
2014119286.tif 000007
【００５４】
また、評価の精度を一層高くすることを目的として、光の照射及び射出光の受光の操作を両照射領域Ａ１，Ａ２について交互に複数回ずつ行い、照射光量と射出光量との比較を、該複数回ずつの操作について行っても良い。そのような操作の詳細は、特開２００６−１０２３６５号公報に記載されている。
【００５５】
同様の目的で、第２の照射領域Ａ２に対する該第２の照射領域Ａ２からの射出光の測定領域の面積比（測定領域の面積／照射領域の面積）を、第１の照射領域Ａ１に対する該第１の照射領域Ａ１からの射出光の測定領域の面積比（測定領域の面積／照射領域の面積）に比べて小さくしても良い。そのような操作の詳細は、特開２０１０−１４７０８号公報に記載されている。
【実施例】
【００５６】
以下、実施例により本発明を更に詳細に説明する。しかしながら本発明の範囲は、かかる実施例に制限されない。
【００５７】
〔実施例１〕
下記の測定装置本体を使用し、下記の基準白色板及び下記評価対象について下記のように絞りを変更して照射領域を変え、５回ずつ射出光量を測定した。光源として、白色光を用いた。次いで、該装置本体に接続した市販のパーソナルコンピュータシステムにおいて、分光測色計ＣＭシリーズ用色彩管理ソフトウェア「ＣＭ−Ｓ９ｗ」を起動し、これら測定した射出光量を測定装置からＣＳＶ形式で該コンピュータシステムに取り込んだ。そして、市販のスプレッドシート（米国マイクロソフト社製「Ｅｘｃｅｌ」）上でこれらの射出光量について統計的な処理を行った後、上述した式（２）及び（３）に基づき反射率ＲS,S及びＲS,Lを求め、更に半透明性ＴSを求めた。求められたＲS,L並びにＴSの値に基づき、吸収係数μa及び実効散乱係数μs’を数値計算によって求めた（ここでは、ソフトウェアとして米国マスワークス社製「ＭＡＴＬＡＢ」を用いた）。その結果を図８に示す。
【００５８】
＜測定条件＞
装置本体：ミノルタ（株）製、分光測色計「ＣＭ−２６００ｄ」
照射・受光条件：ｄ／８°（ＪＩＳ  Ｚ８７２２）
照射領域Ａ１：直径４ｍｍの円形
照射領域Ａ２：照射領域Ａ１と略同心で直径１１ｍｍの円形
基準白色板：厚さ０．０９１ｍｍ、反射率０．６９（波長５５０ｎｍ）のＰＰＣ用紙（Ｄ６５光源下で、Ｌ＊＝８６．８、ａ＊＝−０．１４３、ｂ＊＝−０．３３３）
測定：各サンプル、各測定領域について５回ずつの測定を、５度行った。
各測定の間隔：約１０秒
評価対象：４種類のシリコーンサンプル（透明な室温硬化型シリコーンに顔料（酸化チタン、酸化鉄等の混合物）を異なる５種類の濃度（０．１０、０．１５、０．２０、０．５０質量％）で混練し硬化させたもの）
【００５９】
〔実施例２〕
基準白色板として、厚さ０．０８１ｍｍの白用紙を、厚さ０．４９２ｍｍのボール紙（Ｄ６５光源下で、Ｌ＊＝９１．７３、ａ＊＝０．０１２、ｂ＊＝１．４９２）に貼り付けたもの（白ボール）を用いた。白用紙側から測定したこの基準白色板の反射率は０．８０（波長５５０ｎｍ）であった。これ以外は実施例１と同様にしてＲS,S及びＲS,L並びにＴSの値を求め、これらから吸収係数μa及び実効散乱係数μs’を数値計算によって求めた。その結果を図９に示す。
【００６０】
〔比較例１〕
基準白色板として、前記の分光測色計「ＣＭ−２６００ｄ」に付属のプラスチック板（常用標準白色板）を用いた。このプラスチック板は常用標準白色板であり、厚さは５ｍｍ、反射率は０．９３（波長５５０ｎｍ）であった。これ以外は実施例１と同様にしてＲS,S及びＲS,L並びにＴSの値を求め、これらから吸収係数μa及び実効散乱係数μs’を数値計算によって求めた。その結果を図１０に示す。
【００６１】
〔比較例２〕
基準白色板として、トレーシングペーパーを用いた。このトレーシングペーパーは、その厚さが０．０４ｍｍであり、反射率は０．２４（波長５５０ｎｍ）であった。これ以外は実施例１と同様にしてＲS,S及びＲS,L並びにＴSの値を求め、これらから吸収係数μa及び実効散乱係数μs’を数値計算によって求めた。その結果を図１１に示す。
【００６２】
図８ないし図１１に示す結果から明らかなとおり、各実施例で得られた吸収係数μa及び実効散乱係数μs’の値は、シリコーン樹脂に添加した顔料の濃度との相関係数が各比較例よりも高いことが判る。したがって、本発明の方法を採用することによって、吸収係数μa及び実効散乱係数μs’の値を精度良く予測することが可能である。
【符号の説明】
【００６３】
１  半透明性の評価装置
２  測定装置本体
２０  入出力インターフェース
２００  ケーブル
２１１  入射窓
２１２  照射窓
２１３  受光窓
２１  積分球
２２  光源
２３  受光器
２４  絞り
２５  演算制御部
３  コンピュータシステム
３１  本体（評価処理部）
３２  入力装置
３３  出力装置
４０  受光面
４１  薄層部位
４２  支持部位
Ａ  照射領域
Ｍ  受光領域
Ｉ  照射光
Ｒ  射出光
Ｗ  基準白色板
【図１】
2014119286.tif 000009
【図２】
2014119286.tif 000010
【図３】
2014119286.tif 000011
【図４】
2014119286.tif 000012
【図５】
2014119286.tif 000013
【図７】
2014119286.tif 000014
【図８】
2014119286.tif 000015
【図９】
2014119286.tif 000016
【図１０】
2014119286.tif 000017
【図１１】
2014119286.tif 000018
【図６】
2014119286.tif 000019